(57)【要約】【課題】例えば乾燥行程で洗濯兼脱水槽の側壁にへばりついた衣類を掻き落とす場合、回転翼の往復回転数を増加させずに、効率よく確実に衣類の掻き落としができ、ムラなく効率よく乾燥でき、布傷みのおそれもない洗濯機の回転翼を得る。【解決手段】外箱と、この外箱内に配設する水槽と、該水槽内に回転自在に配設され多数の脱水孔を穿設した洗濯兼脱水槽とを具備する洗濯機の、前記洗濯兼脱水槽の底部に配設する回転翼３において、回転翼３の外周部分に、該回転翼３のどの部分よりも最も高部となる突起３ｄを設けた。【選択図】        図１
2004222759.tif 000002
【特許請求の範囲】
【請求項１】
外箱と、この外箱内に配設する水槽と、該水槽内に回転自在に配設され多数の脱水孔を穿設した洗濯兼脱水槽とを具備する洗濯機の、前記洗濯兼脱水槽の底部に配設する回転翼において、回転翼の外周部分に、該回転翼のどの部分よりも最も高部となる突起を設けたことを特徴とする洗濯機の回転翼。
【請求項２】
前記突起は、回転翼の外周円周部がベース部よりも高位置にある回転翼においては、羽根部の箇所で外周円周部の内方側を該外周円周部よりも上方に突出させることを特徴とする請求項１記載の洗濯機の回転翼。
【請求項３】
前記突起は、回転翼の外周円周部がベース部よりも高位置にある回転翼においては、羽根部の箇所で外周円周部の内方側および外周円周部の上面部を連続させて上方に突出させることを特徴とする請求項１記載の洗濯機の回転翼。
【請求項４】
前記突起は、回転翼の外周円周部がベース部よりも高位置にある回転翼においては、ベース部の箇所で外周円周部を上方に突出させることを特徴とする請求項１記載の洗濯機の回転翼。
【発明の詳細な説明】
【０００１】
【発明の属する技術分野】
本発明は、洗濯機の回転翼に関するものである。
【０００２】
【従来の技術】
洗濯機には、洗い行程、すすぎ行程、脱水行程が自動的に進行する全自動一槽式の洗濯機や、脱水行程終了後に乾燥行程を設け、この乾燥行程で、洗濯兼脱水槽内に加熱装置および送風機より発生する温風を送り、乾燥行程の途中で洗濯兼脱水槽や回転翼を回転させて洗濯物をほぐしながら洗濯物を乾かす洗濯乾燥機がある。
【０００３】
洗濯乾燥機は、例えば、外箱と、この外箱内に支持された外槽と、この外槽内に回転自在に配置され上面を開口するとともに周壁面に脱水孔を形成した洗濯脱水槽と、この洗濯脱水槽の内底部に配設された回転翼と、乾燥行程時に前記洗濯脱水槽内に温風を供給する温風供給手段とを備え、前記温風供給手段からの温風を前記洗濯脱水槽の上面開口から直接ないしは外槽の上部から前記脱水孔を経て供給するものである。
【０００４】
かかる構成の洗濯乾燥機では、洗い行程、すすぎ行程、脱水行程と洗濯運転が自動的に進行し、脱水行程終了後に乾燥工程に移行すると、この乾燥行程では、温風発生装置が作動して温風が発生し、この温風は洗濯脱水槽内に流れ込む。そして、洗濯脱水槽内底面にある回転翼上面に置かれる水分を含んだ洗濯物と接触して水分を気化させる。洗濯物の水分を含んで湿度の高くなった温風は、洗濯脱水槽の上方へと案内され、その上面開口から排気孔を経て外箱外に排気される。
【０００５】
以上の動作を所定時間実施して洗濯物を乾かす乾燥行程を行う（例えば特許文献１参照）。
【０００６】
【特許文献１】
特開平１０−２１６３９６号公報
【０００７】
【発明が解決しようとする課題】
脱水行程後の乾燥行程では、洗濯兼脱水槽内の衣類に万遍なく温風が供給されるように回転翼を回転させて衣類を攪拌し、脱水の際に洗濯兼脱水槽の槽壁にへばりついた衣類を掻き落とすことが行われるが、従来の回転翼の羽根部は外周部にいくにしたがい下方に向けて傾斜する山形に形成されているため、回転翼を回転させても、槽壁にへばりついている衣類の下側を回転翼が滑ってしまい、その結果、衣類を掻き落とすことが十分にできなかった。
【０００８】
このため、衣類は洗濯兼脱水槽の周壁にへばりついたままの状態で乾燥行程が実施され、衣類の表面のみが乾燥されたり、皺が発生するなどして仕上がりが良好とはいえなかった。
【０００９】
かかる不都合を解消するには衣類を攪拌するための回転翼の往復回転を多く設定すればよいが、このようにすると、衣類をほぐすことができても布傷みなどが発生しやすくなる。
【００１０】
本発明の目的は前記従来例の不都合を解消し、例えば乾燥行程で洗濯兼脱水槽の側壁にへばりついた衣類を掻き落とす場合、回転翼の往復回転数を増加させずに、効率よく確実に衣類の掻き落としができ、ムラなく効率よく乾燥でき、布傷みのおそれもない洗濯機の回転翼を提供することにある。
【００１１】
【課題を解決するための手段】
本発明は前記目的を達成するため、外箱と、この外箱内に配設する水槽と、該水槽内に回転自在に配設され多数の脱水孔を穿設した洗濯兼脱水槽とを具備する洗濯機の、前記洗濯兼脱水槽の底部に配設する回転翼において、回転翼の外周部分に、該回転翼のどの部分よりも最も高部となる突起を設けた。
【００１２】
これにより、脱水行程で洗濯兼脱水槽の側壁にへばりついた衣類を乾燥行程に移行する前に、回転翼を回転させて掻き落とそうとする場合、回転翼の外周部に最高部となる突起が存在することになるから、この突起が上方の衣類を引っ掻けて下方に掻き落とす。よって、効率よく確実に衣類の掻き落としができる。
【００１３】
【発明の実施の形態】
以下、図面について本発明の実施の形態を詳細に説明する。図１は本発明の洗濯機の回転翼の第１実施形態を示す縦断正面図、図２は本発明の回転翼を備えた洗濯乾燥機の全体説明図で、洗濯乾燥機の全体構成から説明すると、外箱１内に水槽２を搖動自在に配設し、該水槽２内に底部に回転翼３を配設するとともに周壁に多数の脱水孔５を穿設した洗濯兼脱水槽４を設けた。
【００１４】
図中６は洗濯兼脱水槽４の上部に取り付けたバランサ、７は洗濯兼脱水槽４や回転翼３を回転させるためのモータを示す。また、前記外箱１の上部の開口にフタ８を備えたトップパネル９を取り付ける。
【００１５】
また、洗濯兼脱水槽４内の衣類を乾燥させるための手段を設ける。温風の供給手段としては、外箱１の側部にフィルター１０を備えた吸気口１１を設け、該吸気口１１の下流側に位置させて外箱１内で水槽２との間にダクト１４を設け、該ダクト１４内に送風ファン１２および加熱手段としてのヒータ１３を順次配設した。図中１５は洗濯兼脱水槽４内に霧状の水（ミスト）を供給するミストノズルを示す。
【００１６】
温風の排出手段としては、水槽２の上部開口に内フタ１６を設け、該内フタ１６にフィルター１７備えた排出口１８を形成する。そして、該排出口１８の上方位置でトップパネル９に排気口１９を設ける。
【００１７】
そして、サーミスタなどを利用する吸気温度センサ２０を前記フィルター１０と送風ファン１２との間に設け、排気温度センサ２１を水槽２の上部に取り付けられる水槽カバー２ａの下面に取り付ける。
【００１８】
かかる洗濯乾燥機において、回転翼３の形状は、ベース部３ａに上部に羽根３ｂが放射状に複数枚、例えば４枚配設されるものであるが、図１に示すようにベース部３ａおよび羽根３ｂの外周円周部３ｃを高く形成する。かかる形状の回転翼３において、第１実施形態として、羽根３ｂが突設される箇所の外周円周部３ｃの内方側の箇所を上方に突出させて突起３ｄを形成する。
【００１９】
これにより、前記突起３ｄが外周円周部３ｃよりも高位置になり、回転翼３のすべての部位のうちで最高部に位置することになる。
【００２０】
よって、例えば前行程の脱水行程で洗濯兼脱水槽４内の側壁にへばりついた衣類を乾燥行程に移行する際に掻き落とすには、回転翼３を回転させれば、該回転翼３の羽根３ｂの部分で外周円周部３ｃの内方側に突出している突起３ｄが最高部位に位置するから、この突起３ｄが衣類を引っ掻けて落としほぐす。
【００２１】
これにより、表面にでる衣類の部分が入れ代わり、温風を供給する乾燥行程で衣類の各部均一に万遍なく温風が接触し、乾燥にムラが生じることがなく、皺の発生も少なくできる。
【００２２】
前記第１実施形態は、突起３ｄの形成部位を外周円周部３ｃの内方側としたが、第２実施形態では図３に示すように外周円周部３ｃの内方側から外周円周部３ｃの上面にかけ連続させて全体を上方に突出させて突起３ｃに形成した。この場合も、回転翼３を回転させれば、該回転翼３の羽根３ｂの部分で外周円周部３ｃに突出している突起３ｄが最高部位に位置するから、この突起３ｄが衣類を引っ掻けて落としほぐす。
【００２３】
図４は第３実施形態を示し、前記第１、第２実施形態は突起３ｄの形成箇所を羽根３ｂの部分としたが、第３実施形態ではベース部３ａの部分で外周円周部３ｃを上方に突出させて突起３ｄを形成した。この場合も、この突起３ｄは羽根３ｂよりも上方に位置するから、回転翼３を回転させれば、ベース部３ａの部分で外周円周部３ｃに突出している突起３ｄが衣類を引っ掻けて落としほぐす。
【００２４】
また、本発明は、回転翼３の外周円周部３ｃがベース部３ａよりも高位置にある回転翼３に限定されるものではなく、外周部分に、回転翼３のどの部分よりも最も高部となる突起を設ければよいものであり、例えば羽根の最外周部に羽根の他の部分よりも高くなる突起を設けることもできる。
【００２５】
【発明の効果】
以上述べたように本発明の洗濯機の回転翼は、外箱と、この外箱内に配設する水槽と、該水槽内に回転自在に配設され多数の脱水孔を穿設した洗濯兼脱水槽とを具備する洗濯機の、前記洗濯兼脱水槽の底部に配設する回転翼において、回転翼の外周部分に、該回転翼のどの部分よりも最も高部となる突起を設けた。
【００２６】
これにより、脱水行程で洗濯兼脱水槽の側壁にへばりついた衣類を乾燥行程に移行する前に、回転翼を回転させて掻き落とそうとする場合、回転翼の外周部に最高部となる突起が存在することになるから、この突起が上方の衣類を引っ掻けて下方に掻き落とす。よって、回転翼の往復回転数を増加することなく効率よく確実に衣類の掻き落としができ、衣類を傷めることなく、各部均一に万遍なく乾燥させることができるものである。
【図面の簡単な説明】
【図１】本発明の洗濯機の回転翼の第１実施形態を示す縦断正面図である。
【図２】本発明の回転翼が配設される洗濯乾燥機の一例を示す説明図である。
【図３】本発明の洗濯機の回転翼の第２実施形態の要部を示す縦断正面図である。
【図４】本発明の洗濯機の回転翼の第３実施形態の要部を示す縦断正面図である。
【符号の説明】
１…外箱              ２…水槽              ２ａ…水槽カバー
３…回転翼            ３ａ…ベース部        ３ｂ…羽根
３ｃ…外周円周部      ３ｄ…突起            ４…洗濯兼脱水槽
５…脱水孔            ６…バランサ          ７…モータ
８…フタ              ９…トップパネル      １０…フィルター
１１…吸気口          １２…送風ファン      １３…ヒータ
１４…ダクト          １５…ミストノズル    １６…内フタ
１７…フィルター      １８…排出口          １９…排気口
２０…吸気温度センサ  ２１…排気温度センサ
【図１】
2004222759.tif 000003
【図２】
2004222759.tif 000004
【図３】
2004222759.tif 000005
【図４】
2004222759.tif 000006